(57)【要約】【課題】脱臭フィルタをより効率的に洗浄することができる衛生洗浄装置を提供することを目的とする。【解決手段】トイレルーム内の空気を吸引する送風部と、前記送風部により吸引された前記空気が通過する脱臭フィルタと、前記脱臭フィルタに水を供給する噴霧部と、前記脱臭フィルタを通過した水を排出する排出流路と、前記噴霧部から供給される水を制御し、前記脱臭フィルタの最大保水量以上の水を不使用時間帯に前記脱臭フィルタに供給する洗浄動作を実行する制御部と、を備えたことを特徴とする衛生洗浄装置が提供される。【選択図】図２
2016094711.tif 000002
【特許請求の範囲】
【請求項１】
トイレルーム内の空気を吸引する送風部と、
前記送風部により吸引された前記空気が通過する脱臭フィルタと、
前記脱臭フィルタに水を供給する噴霧部と、
前記脱臭フィルタを通過した水を排出する排出流路と、
前記噴霧部から供給される水を制御し、前記脱臭フィルタの最大保水量以上の水を不使用時間帯に前記脱臭フィルタに供給する洗浄動作を実行する制御部と、
を備えたことを特徴とする衛生洗浄装置。
【請求項２】
前記制御部は、１日のうちに少なくとも１回の頻度で前記洗浄動作を実行することを特徴とする請求項１記載の衛生洗浄装置。
【請求項３】
前記制御部は、使用者の指令に基づいて前記洗浄動作を実行することを特徴とする請求項１または２に記載の衛生洗浄装置。
【請求項４】
トイレルーム内の空気を吸引する送風部と、
前記送風部により吸引された前記空気が通過する脱臭フィルタと、
前記脱臭フィルタに水を供給する噴霧部と、
前記脱臭フィルタを通過した水を排出する排出流路と、
前記噴霧部から供給される水を制御し、前記送風部の動作の累積時間が所定時間を経過すると、または、前記送風部の動作の累積回数が所定回数に達すると、前記脱臭フィルタの最大保水量以上の水を前記脱臭フィルタに供給する洗浄動作を実行する制御部と、
を備えたことを特徴とする衛生洗浄装置。
【請求項５】
第１の電極と第２の電極とを有する電解槽をさらに備え、
前記水は、前記電解槽が電気分解することにより生成した機能水であることを特徴とする請求項１〜４のいずれか１つに記載の衛生洗浄装置。
【請求項６】
前記制御部は、１回の前記洗浄動作において複数回にわたって前記機能水を前記脱臭フィルタに供給し、前記第１の電極と前記第２の電極との間に印加する電圧の極性を前記機能水の供給ごとに反転させることを特徴とする請求項５記載の衛生洗浄装置。
【請求項７】
前記制御部は、前記洗浄動作を実行するときに前記送風部の動作を停止する制御を実行することを特徴とする請求項１〜６のいずれか１つに記載の衛生洗浄装置。
【発明の詳細な説明】
【技術分野】
【０００１】
本発明の態様は、一般的に、衛生洗浄装置に関する。
【背景技術】
【０００２】
例えば、吸気装置と、殺菌水供給装置と、を備えた水洗トイレの脱臭殺菌装置がある（特許文献１）。特許文献１に記載された水洗トイレの脱臭殺菌装置は、大便器または小便器で発生する悪臭成分を除去するために、電解水即ち殺菌水を保湿性のフィルターに供給して含浸させる。吸気装置を作動させると、便器より臭気通路を通って臭気が吸引される。その臭気がフィルターを通過するときに、含浸させた電解水によって悪臭成分が吸収されたり分解されたりする。
【０００３】
電解水を含むフィルターが悪臭成分を吸収したり分解したりする場合には、臭気の原因となる物質がフィルターに吸着する。そのため、フィルターのメンテナンスを行わないと、フィルターの脱臭性能を確保できない場合がある。特許文献１に記載された脱臭殺菌装置は、脱臭後にフィルターに新たな殺菌水を供給し、洗浄と同時に付着した悪臭成分、ゴミ、雑菌などを除去する。そのため、殺菌水供給装置の寿命や節水に対して改善の余地がある。悪臭成分を吸収したり分解したりするフィルターに対して、効率的な洗浄が望まれている。
【先行技術文献】
【特許文献】
【０００４】
【特許文献１】特開２０００−１２９７４７号公報
【発明の概要】
【発明が解決しようとする課題】
【０００５】
本発明は、かかる課題の認識に基づいてなされたものであり、脱臭フィルタをより効率的に洗浄することができる衛生洗浄装置を提供することを目的とする。
【課題を解決するための手段】
【０００６】
第１の発明は、トイレルーム内の空気を吸引する送風部と、前記送風部により吸引された前記空気が通過する脱臭フィルタと、前記脱臭フィルタに水を供給する噴霧部と、前記脱臭フィルタを通過した水を排出する排出流路と、前記噴霧部から供給される水を制御し、前記脱臭フィルタの最大保水量以上の水を不使用時間帯に前記脱臭フィルタに供給する洗浄動作を実行する制御部と、を備えたことを特徴とする衛生洗浄装置である。
【０００７】
この衛生洗浄装置によれば、トイレルームの空間内を脱臭する脱臭フィルタを不使用時間帯に洗浄することができる。これにより、脱臭フィルタをより効率的に洗浄することができ、脱臭フィルタを長期間にわたってメンテナンスフリーとすることができる。また、脱臭フィルタの洗浄動作を不使用時間帯に行うことにより、脱臭フィルタの洗浄を使用者に知られるおそれを抑えることができる。
【０００８】
第２の発明は、第１の発明において、前記制御部は、１日のうちに少なくとも１回の頻度で前記洗浄動作を実行することを特徴とする衛生洗浄装置である。
【０００９】
この衛生洗浄装置によれば、脱臭フィルタの脱臭性能を確保することができる。
【００１０】
第３の発明は、第１または２の発明において、前記制御部は、使用者の指令に基づいて前記洗浄動作を実行することを特徴とする衛生洗浄装置である。
【００１１】
この衛生洗浄装置によれば、使用者は、任意のタイミングで脱臭フィルタの洗浄動作を実行することができる。
【００１２】
第４の発明は、トイレルーム内の空気を吸引する送風部と、前記送風部により吸引された前記空気が通過する脱臭フィルタと、前記脱臭フィルタに水を供給する噴霧部と、前記脱臭フィルタを通過した水を排出する排出流路と、前記噴霧部から供給される水を制御し、前記送風部の動作の累積時間が所定時間を経過すると、または、前記送風部の動作の累積回数が所定回数に達すると、前記脱臭フィルタの最大保水量以上の水を前記脱臭フィルタに供給する洗浄動作を実行する制御部と、を備えたことを特徴とする衛生洗浄装置である。
【００１３】
この衛生洗浄装置によれば、脱臭フィルタを通る空気の風量に応じて脱臭フィルタの洗浄動作を行うことができる。そのため、脱臭フィルタの脱臭性能を確保することができる。
【００１４】
第５の発明は、第１〜４のいずれか１つの発明において、第１の電極と第２の電極とを有する電解槽をさらに備え、前記水は、前記電解槽が電気分解することにより生成した機能水であることを特徴とする衛生洗浄装置である。
【００１５】
この衛生洗浄装置によれば、脱臭フィルタに保持される水が電気分解により生成された機能水であるため、アンモニアおよびトリメチルアミンを次亜塩素酸により分解することができる。
【００１６】
第６の発明は、第５の発明において、前記制御部は、１回の前記洗浄動作において複数回にわたって前記機能水を前記脱臭フィルタに供給し、前記第１の電極と前記第２の電極との間に印加する電圧の極性を前記機能水の供給ごとに反転させることを特徴とする衛生洗浄装置である。
【００１７】
この衛生洗浄装置によれば、炭酸カルシウムなどのスケールの生成を抑えることができる。これにより、電解槽の電解効率が低下し殺菌水の生成効率が低下することを抑えることができる。
【００１８】
第７の発明は、第１〜６のいずれか１つの発明において、前記制御部は、前記洗浄動作を実行するときに前記送風部の動作を停止する制御を実行することを特徴とする衛生洗浄装置である。
【００１９】
この衛生洗浄装置によれば、脱臭フィルタの洗浄動作中において送風部の動作が停止しているため、噴霧部は、任意の位置に水を噴霧することができる。例えば、噴霧部から噴霧された水が衛生洗浄装置の外部に出ることを抑えることができる。
【発明の効果】
【００２０】
本発明の態様によれば、脱臭フィルタをより効率的に洗浄することができる衛生洗浄装置が提供される。
【図面の簡単な説明】
【００２１】
【図１】本発明の実施の形態にかかる衛生洗浄装置が設置されたトイレルームを表す模式的斜視図である。
【図２】本実施形態にかかる衛生洗浄装置を表す模式的斜視図である。
【図３】本実施形態の洗浄水供給装置および脱臭装置の要部構成を表すブロック図である。
【図４】本実施形態の脱臭装置を表す模式的斜視図である。
【図５】本実施形態の脱臭装置を表す模式的分解図である。
【図６】本実施形態の電解槽の具体例を例示する模式的断面図である。
【図７】脱臭フィルタおよびフィルタケースの具体例を例示する模式的斜視図である。
【図８】脱臭フィルタおよびフィルタケースの具体例を例示する模式的平面図である。
【図９】本実施形態の脱臭フィルタのハニカム構造の具体例を例示する模式的平面図である。
【図１０】本実施形態にかかる衛生洗浄装置の内部を表す模式的平面図である。
【図１１】使用頻度の判定方法を説明する表である。
【図１２】本実施形態にかかる衛生洗浄装置の動作の具体例を例示するタイミングチャート図である。
【図１３】本実施形態にかかる衛生洗浄装置の動作の他の具体例を例示するタイミングチャート図である。
【図１４】本実施形態にかかる衛生洗浄装置の動作のさらに他の具体例を例示するタイミングチャート図である。
【図１５】本実施形態にかかる衛生洗浄装置の動作のさらに他の具体例を例示するフローチャート図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置が設置されたトイレルームを表す模式的斜視図である。  
図２は、本実施形態にかかる衛生洗浄装置を表す模式的斜視図である。
【００２３】
図１に表したように、トイレルーム１００の内部には水洗式の大便器２が設置されている。大便器２には、衛生洗浄装置１が設けられている。本実施形態にかかる衛生洗浄装置１は、便座（図示せず）と、便蓋４と、機能部６と、を備える。例えば、使用者は、トイレルーム１００の壁面に設置された操作部７４を操作すると、便蓋４を開閉させたり、機能部６が有する各種機能を動作させることができる。
【００２４】
図２に表したように、機能部６は、ケースプレート８と、ケースカバー１０と、洗浄水供給装置１２（図３参照）と、人体検知センサ１３と、洗浄ノズル１４と、脱臭装置１６と、制御部１８と、を有する。便座（図示せず）および便蓋４は、ケースカバー１０に対して開閉自在に軸支されている。ケースプレート８は、大便器２の正面（前方）からみて、大便器２のボウル部２０よりも後方に設けられている。ケースプレート８には、洗浄水供給装置１２と、洗浄ノズル１４と、脱臭装置１６と、制御部１８と、が設けられている。ケースカバー１０は、洗浄水供給装置１２と、洗浄ノズル１４と、脱臭装置１６と、制御部１８と、を覆いケースプレート８に固定されている。
【００２５】
人体検知センサ１３は、例えば赤外線信号を利用した焦電センサであり、トイレルーム１００に入室した入室者を検知する。人体検知センサ１３は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ１３として用いた場合には、人体検知センサ１３は、トイレルーム１００のドア越しに使用者の存在を検知することが可能となる。つまり、人体検知センサ１３は、トイレルーム１００に入室する前の使用者を検知することができる。
【００２６】
脱臭装置１６は、大便器２の正面からみて、ケースプレート８の後方左側に設置されている。図２に表した矢印Ａ２８のように、脱臭装置１６は、大便器２の正面からみて、ケースカバー１０の左側に設けられた吸気口部２１から、トイレルーム１００内の空気を吸い込む。トイレルーム１００内の空気とは、主として大便器２の外部の空気（ボウル部２０以外の空気）をいう。吸気口部２１から吸い込まれた空気に含まれる悪臭成分は、脱臭装置１６によって捕集又は分解される。
【００２７】
本願明細書においては、通常使用状態で大便器２に腰掛けた使用者からみて上方を「上方」とし、通常使用状態で大便器２に腰掛けた使用者からみて下方を「下方」とする。また、通常使用状態で大便器２に腰掛けた使用者からみて前方を「前方」とし、通常使用状態で大便器２に腰掛けた使用者からみて後方を「後方」とする。あるいは、大便器２の方向を向いて大便器２の前に立った使用者からみて手前側を「前方」とし、大便器２の方向を向いて大便器２の前に立った使用者からみて奥側を「後方」とする。また、大便器２の方向を向いて大便器２の前に立った使用者からみて右側を「右側方」とし、大便器２の方向を向いて大便器２の前に立った使用者からみて左側を「左側方」とする。
【００２８】
本実施形態における「悪臭成分」は、アンモニア成分を含む。この悪臭成分は、尿がトイレルーム１００の床や壁などに付着したときに、尿の付着部分から発生する。
【００２９】
図２に表した矢印Ａ２９のように、脱臭装置１６によって悪臭成分が捕集又は分解された空気は、大便器２の正面からみて、ケースカバー１０の左側に設けられた排気口部２２から、トイレルーム１００へ吐き出される。
【００３０】
排気口部２２がケースカバー１０の側面に設けられているため、空気は、ケースカバー１０の前方へは排出されない。したがって、排気口部２２から排出された空気が使用者に直接的に当たることを抑制することができる。これにより、使い勝手の良い衛生洗浄装置１を提供することができる。なお、吸気口部２１及び排気口部２２の設置形態は、図２に表した例には限定されない。例えば、吸気口部２１は、ケースカバー１０の後方面（背面）に設けられていてもよい。あるいは、吸気口部２１及び排気口部２２の少なくともいずれかは、右側の面に設けられていてもよい。
【００３１】
図２に表した例では、吸気口部２１及び排気口部２２は、ケースカバー１０の同一面（左側の面）に設けられている。そのため、吸気口部２１及び排気口部２２が互いに異なる面に設けられた場合と比較して、吸気口部２１は、排気口部２２から排出された空気を再び吸引しやすい。したがって、吸気口部２１は、脱臭装置１６によって捕集又は分解されなかった悪臭成分を含んだ空気を再び吸引することができる。これにより、部分的に滞留した臭気に含まれる悪臭成分を集中的に捕集又は分解することができる。
【００３２】
また、排気口部２２は、吸気口部２１よりも前方側に設けられている。そのため、排気口部２２は、悪臭成分が捕集又は分解された空気を吸気口部２１よりも前方側から排出することができる。したがって、使用者は、悪臭成分が捕集又は分解された空気を比較的吸いやすい。そのため、使用者が不快感を感じることをより抑制することができる。
【００３３】
制御部１８は、ＩＣ素子を含んだ制御回路であり、洗浄水供給装置１２、人体検知センサ１３、洗浄ノズル１４、および脱臭装置１６のそれぞれの動作を電気的に制御する。制御部１８は、例えば、ファン４６（図３参照）の動作を制御する。制御部１８は、例えば金属製の筺体としての制御部カバー（図示せず）によって覆われている。
【００３４】
図３は、本実施形態の洗浄水供給装置および脱臭装置の要部構成を表すブロック図である。  
図４は、本実施形態の脱臭装置を表す模式的斜視図である。  
図５は、本実施形態の脱臭装置を表す模式的分解図である。  
図６は、本実施形態の電解槽の具体例を例示する模式的断面図である。
【００３５】
図３に表したように、洗浄水供給装置１２は、流路開閉弁２４と、瞬間加熱式の熱交換器２６と、電解槽２８と、大気解放式のバキュームブレーカー（ＶＢ）３０と、洗浄ノズル１４へ通じる第１流路３２と、脱臭装置１６へ通じる第２流路３４と、電磁ポンプ３６と、流調・流路切替弁３８と、を有する。なお、洗浄水供給装置１２は、必ずしも熱交換器２６を有していなくともよい。外部から供給された水は、流路開閉弁２４が開いたときに、熱交換器２６を通って電解槽２８へ送られる。
【００３６】
図６に表したように、電解槽２８は、第１の電極２８ａと、第２の電極２８ｂと、を有する。第１の電極２８ａは、例えば陽極である。第２の電極２８ｂは、例えば陰極である。第１の電極２８ａおよび第２の電極２８ｂは、電解槽２８の内部に設けられている。電解槽２８は、制御部１８から送信された通電の制御信号に基づいて、第１の電極２８ａと、第２の電極２８ｂと、の間の空間を流れる水道水を電気分解できる。言い換えれば、電解槽２８へ送られてきた水は、電解槽２８の内部において電気分解される。
【００３７】
水道水は、塩素イオン（Ｃｌ−）を含んでいる。塩素イオンは、水源（例えば、地下水や、ダムの水や、河川などの水）に食塩（ＮａＣｌ）や塩化カルシウム（ＣａＣｌ２）などとして含まれている。そのため、陽極（例えば第１の電極２８ａ）では、式（１）に表した反応が生ずる。
Ｃｌ−  →  ｅ−＋１／２Ｃｌ２    ・・・（１）
【００３８】
式（１）において発生した塩素は、気泡としては存在しにくく、ほとんどの塩素は水に溶解する。そのため、式（１）において発生した塩素については、式（２）に表した反応が生ずる。
Ｃｌ２＋Ｈ２Ｏ  →  ＨＣｌＯ＋Ｈ＋＋Ｃｌ−    ・・・（２）
このようにして、塩素イオンを電気分解することにより次亜塩素酸（ＨＣｌＯ）が生成される。その結果、電解槽２８において電気分解された水は、次亜塩素酸を含む液（以下、「機能水」と称する）に変化する。
【００３９】
電解槽２８によって生成された機能水は、第１流路３２又は第２流路３４へ流れる。第１流路３２へ流れた機能水は、電磁ポンプ３６によって、洗浄ノズル１４へ送られる。洗浄ノズル１４は、吐水部１５を有する。例えば、吐水部１５は、おしり洗浄吐水孔１５ａと、おしりソフト吐水孔１５ｂと、ビデ洗浄吐水孔１５ｃと、ワイドビデ洗浄吐水孔１５ｄと、を有する。但し、吐水部１５が有する吐水孔は、これだけには限定されない。洗浄ノズル１４へ送られた機能水は、吐水部１５から上方に向かって吐出される。吐水部１５から吐出された機能水は、大便器２の使用者の局部洗浄などに用いられる。
【００４０】
電磁ポンプ３６と洗浄ノズル１４との間には、流調・流路切替弁３８が設けられている。流調・流路切替弁３８を動作させることで、洗浄ノズル１４から吐出する機能水の吐水流量、吐水角度および吐水範囲などを変更することができる。また、流調・流路切替弁３８を動作させることで、機能水をノズル洗浄室（胴体洗浄部）４０に送ることができる。ノズル洗浄室４０は、吐水部４１を有する。ノズル洗浄室４０は、吐水部４１から機能水を吐出することで、洗浄ノズル１４の外面の洗浄、即ち胴体洗浄を行う。
【００４１】
第２流路３４へ流れた機能水は、脱臭装置１６へ送られる。  
図３〜図５に表したように、脱臭装置１６は、集塵フィルタ４４と、ファン（送風部）４６と、脱臭フィルタ４８と、噴霧部５０と、水受け部５２と、フィルタケース７２と、を有している。
【００４２】
水受け部５２は、吸気口４２と、排気口５４と、を有する。吸気口４２は、ケースカバー１０の吸気口部２１に設置されている。排気口５４は、ケースカバー１０の排気口部２２に設置されている。ファン４６は、例えば樹脂製のシロッコファンである。ファン４６は、内部に設けられた複数の羽が回転することで、吸気口４２からトイレルーム１００内の空気を吸い込み、吸い込んだ空気を排気口５４からトイレルーム１００へ吐き出す。なお、ファン４６は、シロッコファンには限定されない。
【００４３】
図４に表したように、集塵フィルタ４４は、第１羽板６８の内側に設置されている。集塵フィルタ４４は、吸い込まれる空気の中の塵や埃などが、ファン４６へ送られることを防ぐ。第１羽板６８をケースカバー１０から取り外すことで、集塵フィルタ４４を脱臭装置１６から取り外すことができる。したがって、集塵フィルタ４４を衛生洗浄装置１から容易に取り外すことができる。これにより、集塵フィルタ４４をより容易に清掃することができる。なお、集塵フィルタ４４は、第１羽板６８と一体的に設けられていてもよい。この場合には、集塵フィルタ４４及び第１羽板６８をケースカバー１０から同時に取り外すことができる。あるいは、集塵フィルタ４４は、吸気口４２の部分に設置されていてもよい。
【００４４】
脱臭フィルタ４８は、ポーラス構造を有する。つまり、脱臭フィルタ４８は、多孔質の構造を有する。  
本願明細書において「ポーラス構造」とは、材質の密度が１グラム／立方センチメートル（ｇ／ｃｍ３）であり、１ｇあたり０．５ミリリットル（ｍＬ）以上の水を保持可能な構造をいうものとする。言い換えれば、本願明細書において「ポーラス構造」とは、重さが１ｇの立方体であって一辺の長さが１ｃｍの立方体が０．５ミリリットル（ｍＬ）以上の水を保持可能な構造をいうものとする。
【００４５】
脱臭フィルタ４８の材料は、セラミックを含む。より具体的には、脱臭フィルタ４８の材料は、シリカ（ＳｉＯ２）およびアルミナ（Ａｌ２Ｏ３）を含む。より具体的には、脱臭フィルタ４８は、シリカとアルミナとの混合焼結体である。脱臭フィルタ４８は、ハニカム構造を有する。脱臭フィルタ４８のハニカム構造の具体例については、後述する。脱臭フィルタ４８は、フィルタケース７２に保持されている。
【００４６】
機能水は、噴霧部５０により脱臭フィルタ４８に噴霧される。脱臭フィルタ４８は、ファン４６と排気口５４との間、即ちファン４６の下流側に設けられている。言い換えれば、ファン４６は、機能水が噴霧される脱臭フィルタ４８よりも上流側に設置されている。そのため、湿気を含んだ空気が脱臭フィルタ４８からファン４６へ送られることを抑制することができる。よって、ファン４６が湿気により故障することを抑制することができる。
【００４７】
ファン４６から排出された空気は、脱臭フィルタ４８を通過する。そのため、ファン４６が作動する前に衛生洗浄装置１の内部に溜まった空気は、必ず脱臭フィルタ４８を通過し、悪臭成分が捕集された後にトイレルーム１００へ排出される。よって、ファン４６を作動させた際に、衛生洗浄装置１の内部に溜まった空気が悪臭成分を捕集又は分解されずにトイレルーム１００へ排出されることを防ぐことができる。
【００４８】
脱臭フィルタ４８は、使用者の操作によって、排気口５４から自由に取り出し可能とされている。より具体的には、脱臭フィルタ４８は、フィルタケース７２に保持された状態で取り出し可能とされている。使用者は、フィルタケース７２から脱臭フィルタ４８を取り外すことで、脱臭フィルタ４８を排気口５４から自由に取り出すことができる。このことより、脱臭フィルタ４８の清掃性が向上する。
【００４９】
噴霧部５０は、電磁弁を有し、脱臭フィルタ４８よりも上方に設けられている。噴霧部５０が制御部１８によって開弁動作すると、機能水は、脱臭フィルタ４８の上方から脱臭フィルタ４８に向けて例えば約３秒間以上、５秒間以下程度噴霧される。機能水は、噴霧部５０を頂点にして円錐状に広がりながら噴霧される。噴霧部５０から噴霧される機能水の広がり角度は、約１１０度程度である。
【００５０】
機能水が脱臭フィルタ４８に向けて噴霧されると、脱臭フィルタ４８は、機能水を保持する。噴霧部５０から噴霧される水の径は、例えば約１０マイクロメートル（μｍ）以上、１０００μｍ以下である。そのため、噴霧部５０から噴霧された機能水は、脱臭フィルタ４８のハニカム構造で水膜を形成することなく、脱臭フィルタ４８の材料に浸透する。本願明細書において「浸透」とは、液体が材料にしみ通ることだけではなく、液体がポーラス構造の孔に保持されることを含むものとする。
【００５１】
ファン４６が作動すると、吸気口４２から吸引されたトイレルーム１００内の空気が脱臭フィルタ４８内を通過する。ここで、脱臭フィルタ４８が機能水を保持した状態において、空気が脱臭フィルタ４８内を通過すると、空気の中に含まれる悪臭成分が機能水に取り込まれる。機能水に取り込まれた悪臭成分は、機能水に含まれる次亜塩素酸によって、以下の式のように分解される。
ＨＣｌＯ＋ＮＨ３  →  ＮＨ２Ｃｌ＋Ｈ２Ｏ    ・・・（３）
【００５２】
式（３）に表したように、アンモニア（ＮＨ３）は、次亜塩素酸（ＨＣｌＯ）と反応することで、モノクロラミン（ＮＨ２Ｃｌ）と水（Ｈ２Ｏ）とに変わる。モノクロラミンの臭いは、塩素と同じカルキ臭である。モノクロラミンの臭いによって、使用者は清潔感を感じることができる。分解されずに残った悪臭成分は、機能水に捕集される。そのため、分解されずに残った悪臭成分が空気へ戻ることを抑制することができる。その結果、脱臭フィルタ４８内を通過した空気は、悪臭成分が取り除かれる。
【００５３】
悪臭成分が取り除かれた空気は、排気口５４からトイレルーム１００へ排出される。このように、脱臭装置１６は、トイレルーム１００内に常在する悪臭成分を捕集又は分解することができる。よって、使用者は、トイレルーム１００に入室する度に、トイレルーム１００内に常在する悪臭成分による臭気を吸うことがなくなり、快適にトイレルーム１００を利用できる。
【００５４】
本実施形態によれば、脱臭フィルタ４８は、ポーラス構造を有するため、機能水を保持しやすい。そのため、本実施形態にかかる衛生洗浄装置１は、より高い脱臭性能を確保することができる。また、機能水は、次亜塩素酸を含む液であるため、アンモニアおよびトリメチルアミンを次亜塩素酸により分解することができる。また、脱臭フィルタ４８の材料がセラミックを含むため、脱臭フィルタ４８は、一定の硬さを有し経年劣化による変形を抑制できる。また、脱臭フィルタ４８は、シリカとアルミナとの混合焼結体であるため、機能水に起因する腐食を抑制することができ、より長期的に使用可能である。さらに、脱臭フィルタ４８がハニカム構造を有するため、吸気口４２から吸い込まれたトイレルーム１００内の空気と、機能水と、の接触面積は、より広い。そのため、アンモニアなどの悪臭成分の分解性能を向上させることができる。
【００５５】
図１および図２に関して前述したように、実施形態の悪臭成分の発生源は、トイレルーム１００の床や壁などに付着した尿であり、大便器２のボウル部２０の悪臭成分の発生源とは異なる。そのため、脱臭装置１６の吸気口４２がケースカバー１０の側面または後方面に設けられた吸気口部２１に設置されると、脱臭装置１６は、脱臭を行いやすい。
【００５６】
ファン４６から排出された空気は、脱臭フィルタ４８の上方から下方に向かって脱臭フィルタ４８を通過する。これにより、脱臭フィルタ４８の中に溜まったスケールや塵などの滞留物を、ファン４６から排出された空気、及び、滞留物自身の重さによって、水受け部５２に払い落とすことができる。そのため、脱臭フィルタ４８に滞留物が溜まりにくくなる。
【００５７】
なお、ファン４６から排出された空気は、脱臭フィルタ４８の下方から上方に向かって脱臭フィルタ４８を通過してもよい。この場合には、スケールや塵などは、脱臭フィルタ４８の下部（脱臭フィルタ４８のうちの風上の部分）に滞留する。一方で、機能水は、脱臭フィルタ４８の上方から脱臭フィルタ４８に向けて噴霧される。これにより、脱臭フィルタ４８の下部に溜まったスケールや塵などの滞留物を、噴霧部５０から噴霧された機能水によって水受け部５２に落とすことができる。
【００５８】
図４および図５に表したように、水受け部５２は、ケースプレート８に向かって開口した排水口５６を有する。水受け部５２の底面は、排水口５６に向かって傾斜している。これにより、水受け部５２へ流れた機能水は、水受け部５２の底面に溜まることなく排水口５６に向かって流れる。
【００５９】
図７は、脱臭フィルタおよびフィルタケースの具体例を例示する模式的斜視図である。  図８は、脱臭フィルタおよびフィルタケースの具体例を例示する模式的平面図である。  図９は、本実施形態の脱臭フィルタのハニカム構造の具体例を例示する模式的平面図である。
【００６０】
図８（ａ）は、図５に表した矢印Ａ３１の方向にみたときのフィルタケースを表す模式的平面図である。図８（ｂ）は、図５に表した矢印Ａ３１の方向にみたときの脱臭フィルタを表す模式的平面図である。つまり、図８（ａ）および図８（ｂ）は、上方から下方へ向かって眺めたときの脱臭フィルタおよびフィルタケースの具体例を例示する模式的平面図である。  
図９（ａ）は、四角柱の孔が並んだ構造を表す模式的平面図である。図９（ｂ）は、三角柱の孔が並んだ構造を表す模式的平面図である。図９（ｃ）は六角柱の孔が並んだ構造を表す模式的平面図である。図９（ａ）〜図９（ｃ）は、図５に表した矢印Ａ３１の方向にみたときの脱臭フィルタを拡大して眺めた模式的平面図である。
【００６１】
図７に表したように、脱臭フィルタ４８は、フィルタケース７２に保持されている。図８（ａ）および図８（ｂ）に表したように、フィルタケース７２の部分であって脱臭フィルタ４８が保持される部分の第１の方向（図８（ａ）では横方向）の長さＤ１は、脱臭フィルタ４８の第１の方向の長さＤ３よりも長い。フィルタケース７２の部分であって脱臭フィルタ４８が保持される部分の第２の方向（図８（ａ）では縦方向）の長さＤ２は、脱臭フィルタ４８の第２の方向の長さＤ４よりも長い。つまり、脱臭フィルタ４８がフィルタケース７２に保持された状態において、脱臭フィルタ４８とフィルタケース７２との間には、隙間が存在する。
【００６２】
これによれば、脱臭フィルタ４８にかかる外力を分散させ、脱臭フィルタ４８の材料がセラミックである場合でも脱臭フィルタ４８が破損することを抑制することができる。例えば、脱臭フィルタ４８をフィルタケース７２に取り付けたり、脱臭フィルタ４８をフィルタケース７２から取り外したりするときに、脱臭フィルタ４８に対して外力がかかることがある。この場合でも、脱臭フィルタ４８とフィルタケース７２との間に隙間が存在するため、脱臭フィルタ４８にかかる外力を分散させ、脱臭フィルタ４８が破損することを抑制することができる。
【００６３】
脱臭フィルタ４８は、ハニカム構造を有する。図８（ｂ）および図９（ａ）に表した具体例では、脱臭フィルタ４８は、四角柱の孔４８ａが並んだ構造を有する。図９（ｂ）に表した具体例のように、本実施形態の脱臭フィルタ４８は、三角柱の孔４８ｂが並んだ構造を有していてもよい。あるいは、図９（ｃ）に表した具体例のように、本実施形態の脱臭フィルタ４８は、六角柱の孔４８ｃが並んだ構造を有していてもよい。
【００６４】
このように、本願明細書において「ハニカム構造」とは、六角柱の孔が並んだ構造には限定されず、三角柱の孔や四角柱の孔などの立体図形が並んだ構造をいうものとする。  
図９（ａ）〜図９（ｃ）は、上方から下方へ向かって眺めたときに、脱臭フィルタ４８のハニカム構造が有する立体図形を表している。
【００６５】
脱臭フィルタ４８のハニカム構造が有する立体図形の軸は、上下方向と平行である。脱臭フィルタ４８のハニカム構造が有する立体図形の軸とは、図９（ａ）に表した具体例では、四角柱の孔の軸をいう。脱臭フィルタ４８のハニカム構造が有する立体図形の軸とは、図９（ｂ）に表した具体例では、三角柱の孔の軸をいう。脱臭フィルタ４８のハニカム構造が有する立体図形の軸とは、図９（ｃ）に表した具体例では、六角柱の孔の軸をいう。
【００６６】
これによれば、水が脱臭フィルタ４８の上下方向において十分に行きわたる。そのため、脱臭フィルタ４８の略全体が水を保持した状態となる。これにより、本実施形態にかかる衛生洗浄装置１は、より高い脱臭性能を確保することができる。
【００６７】
図１０は、本実施形態にかかる衛生洗浄装置の内部を表す模式的平面図である。  
図１０を参照しつつ、本実施形態の脱臭フィルタの洗浄について説明する。
【００６８】
図３〜図６に関して前述したように、本実施形態の脱臭装置１６は、機能水を保持した脱臭フィルタ４８に空気を通過させることにより空気の中に含まれる悪臭成分を捕集又は分解する。そのため、臭気の原因となる物質が脱臭フィルタ４８に吸着する。脱臭フィルタ４８のメンテナンスを行わないと、脱臭フィルタ４８の脱臭性能を確保できない場合がある。
【００６９】
これに対して、本実施形態の制御部１８は、脱臭フィルタ４８の洗浄動作を行う制御を実行する。制御部１８は、使用者の不使用時間帯に脱臭フィルタ４８の最大保水量以上の機能水を脱臭フィルタ４８に供給する。制御部１８は、所定時間の間に複数回にわたって機能水を脱臭フィルタ４８に供給してもよい。この場合には、複数回の供給の合計量が脱臭フィルタ４８の保水量以上になってもよい。あるいは、複数回の供給のそれぞれの量が脱臭フィルタ４８の保水量以上であってもよい。「所定時間」とは、例えば約１分間以上、１０分間以内程度である。「不使用時間帯」の詳細については、後述する。
【００７０】
脱臭フィルタ４８の最大保水量は、約１０ｍＬ程度である。脱臭フィルタ４８を洗浄する際には、噴霧部５０は、約１００ｍＬ以上、１５０ｍＬ以下程度の機能水を脱臭フィルタ４８に向けて噴霧する。つまり、噴霧部５０は、脱臭フィルタ４８の最大保水量以上の水を噴霧することで、脱臭フィルタ４８を洗浄することができる。これにより、機能水の噴霧よりも前に、脱臭フィルタ４８に保持された機能水が捕集した悪臭成分を洗い流すことができる。
【００７１】
脱臭フィルタ４８の洗浄に利用した機能水は、脱臭フィルタ４８よりも下方に位置する水受け部５２に流れる。水受け部５２へ流れた機能水は、水受け部５２の排水口５６から排出されケースプレート８の上面へ導かれる。
【００７２】
図１０に表したように、ケースプレート８の上面には、リブ５８が設けられている。リブ５８は、ケースプレート８の上面から上方へ向かって突出し、排出流路６０を形成する。排出流路６０は、脱臭フィルタ４８を通過した水を排出する。例えば、排出流路６０は、脱臭フィルタ４８を洗浄した機能水を排出する。排出流路６０は、ボウル部排出用孔６２を有する。ボウル部排出用孔６２は、ノズル洗浄室４０が設置される位置に隣接するように設けられている。ボウル部排出用孔６２は、ケースプレート８の前方部に設けられている。リブ５８は、線状に設けられ、排水口５６（図４および図５参照）から排出された機能水をボウル部排出用孔６２へ導く。
【００７３】
排出流路６０は、前方に向かって下方へ傾斜している。これにより、図１０に表した矢印Ａ２１〜矢印Ａ２７のように、排水口５６から排出された機能水は、重力に従い前方に向かって排出流路６０を流れる。これにより、排水口５６から排出された機能水をより容易にボウル部排出用孔６２へ導くことができる。
【００７４】
ボウル部排出用孔６２へ導かれた機能水は、大便器２のボウル部２０へ排出される。これにより、脱臭フィルタ４８の洗浄に利用した機能水であって、悪臭成分を捕集した機能水は、ボウル部２０へ排出される。ボウル部２０では、水による洗浄が頻繁に行われる。これにより、機能水が付着した部位が乾いて臭いが発生することを抑え、使用者が不快感を感じることを抑えることができる。
【００７５】
ボウル部排出用孔６２は、ノズル洗浄室４０を設置する位置に隣接している。そのため、ノズル洗浄室４０が洗浄ノズル１４の胴体洗浄を行った際に、洗浄ノズル１４の胴体洗浄に利用した機能水は、排出流路６０の一部を流れボウル部排出用孔６２からボウル部２０へ排出される。つまり、洗浄ノズル１４の胴体洗浄に利用した機能水は、水受け部５２の排水口５６から排出された機能水が流れる排出流路６０の一部を流れる。その結果、排出流路６０の一部及びボウル部排出用孔６２は、洗浄ノズル１４の胴体洗浄を行った水により洗浄される。これにより、悪臭成分を捕集した機能水が乾いた後に排出流路６０及びボウル部排出用孔６２から臭いが発生することを抑えることができ、使用者が不快感を感じることを抑えることができる。
【００７６】
また、洗浄ノズル１４は、ケースプレート８とケースカバー１０との間の空間に収納された状態において、吐水部１５が有する全ての吐水孔から機能水を吐出することにより吐水部１５の部分を洗浄することができる（セルフクリーニング）。このとき、洗浄ノズル１４の吐水部１５の部分は、ノズル洗浄室４０の中に収容されている。そのため、吐水部１５から吐出された機能水は、ノズル洗浄室４０の内壁で反射して吐水部１５の部分にかかる。これにより、吐水部１５の部分は、ノズル洗浄室４０の内壁で反射した機能水によっても洗浄される。
【００７７】
セルフクリーニングに利用された機能水は、排出流路６０の一部を流れ、ボウル部排出用孔６２からボウル部２０へ排出される。つまり、セルフクリーニングに利用された機能水は、水受け部５２の排水口５６から排出された機能水が流れる排出流路６０の一部を流れる。その結果、排出流路６０の一部及びボウル部排出用孔６２は、セルフクリーニングを行った水により洗浄される。これにより、悪臭成分を捕集した機能水が乾いた後に排出流路６０及びボウル部排出用孔６２から臭いが発生することを抑えることができ、使用者が不快感を感じることを抑えることができる。
【００７８】
また、ボウル部排出用孔６２は、ノズル洗浄室４０を設置する位置に隣接しているため、脱臭フィルタ４８の洗浄に用いた機能水のボウル部２０への排出位置は、セルフクリーニング及び洗浄ノズル１４の胴体洗浄に用いた機能水のボウル部２０への排出位置と隣接する。このことにより、脱臭フィルタ４８の洗浄に用いた機能水がボウル部２０に排出された際に、使用者が、衛生洗浄装置１の故障だと認識してしまうことを抑えることができる。
【００７９】
次に、本実施形態にかかる衛生洗浄装置の動作の具体例について、図面を参照しつつ説明する。  
図１１は、使用頻度の判定方法を説明する表である。
【００８０】
本実施形態の制御部１８は、１日（２４時間）を４５分間ごとに分割して３２個のユニットを形成し、人体検知センサ１３による人体検知の有無を記憶する。図１１に表した表では、３２個のユニットのうちの８個のユニットを例として挙げている。また、図１１に表した表では、人体検知センサ１３が人体を検知した場合には記号「○」が記載されている。一方で、人体検知センサ１３が人体を検知しなかった場合には記号が記載されていない（無記号）。
【００８１】
制御部１８は、互いに隣り合う２つのユニット（９０分間）において、人体検知センサ１３が人体を検知した回数（使用者がトイレルーム１００を使用した回数）を８日間にわたって合計する。９０分間における合計回数が０（ゼロ）である場合には、制御部１８は、使用者がトイレルーム１００を「使用しない時間帯」であるとする使用頻度を設定する。９０分間における合計回数が１以上、４未満である場合には、制御部１８は、使用者がトイレルーム１００を「あまり使用しない時間帯」であるとする使用頻度を設定する。９０分間における合計回数が４以上である場合には、制御部１８は、使用者がトイレルーム１００を「使用する時間帯」であるとする使用頻度を設定する。
【００８２】
例えば、図１１に表した太い枠線で囲まれた２つのユニット（９０分間）では、人体検知センサ１３が人体を検知した回数の８日間にわたる合計は、「３」である。そのため、制御部１８は、図１１に表した太い枠線で囲まれた２つのユニットの使用頻度を「あまり使用しない時間帯（少）」に設定する。
【００８３】
図１２は、本実施形態にかかる衛生洗浄装置の動作の具体例を例示するタイミングチャート図である。  
本具体例は、脱臭フィルタ４８の通常の洗浄動作の例である。本具体例では、使用者がトイレルーム１００を使用してから８日間以上が経過している。本具体例の制御部１８は、１日（２４時間）のうちで最初の「使用しない時間帯」において脱臭フィルタ４８の洗浄動作の制御を実行する。つまり、本具体例の制御部１８は、１日のうちに少なくとも１回の頻度で脱臭フィルタ４８の洗浄動作の制御を実行する。
【００８４】
使用頻度が「使用する時間帯」になると、制御部１８は、ファン４６の動作を開始し、噴霧部５０から機能水を噴霧する制御を実行する（タイミングｔ１）。噴霧部５０は、例えば約３秒間以上、５秒間以下程度にわたって約１２ｍＬ以上、１５ｍＬ以下程度の機能水を脱臭フィルタ４８に向かって噴霧する。脱臭フィルタ４８は、最大保水量の機能水を保持する。
【００８５】
脱臭フィルタ４８が機能水を保持した状態でファン４６が動作しているため、吸気口部２１から吸い込まれた空気に含まれる悪臭成分は、脱臭装置１６によって捕集又は分解される。つまり、脱臭装置１６による脱臭動作が実行されている。脱臭装置１６による脱臭動作は、脱臭フィルタ４８が乾燥するまで行われる。
【００８６】
本願明細書において脱臭フィルタ４８の「乾燥」とは、水を吸収あるいは保持した脱臭フィルタ４８の重さが、水を吸収あるいは保持する前の脱臭フィルタ４８の重さに戻った状態をいうものとする。本実施形態の脱臭フィルタ４８が最大保水量の水を保持してからファン４６から送られる空気によって乾燥するまでの時間は、例えば約３０分以上、２時間以下程度である。
【００８７】
脱臭フィルタ４８が乾燥するまで脱臭動作が行われるため、脱臭フィルタ４８は、脱臭動作が行われていないときには乾燥している。これにより、脱臭フィルタ４８内に、黴などの菌が繁殖することを抑制することができる。
【００８８】
脱臭フィルタ４８が乾燥すると、制御部１８は、噴霧部５０から機能水を噴霧する制御を実行する（タイミングｔ２）。噴霧部５０は、例えば約３秒間以上、５秒間以下程度にわたって約１２ｍＬ以上、１５ｍＬ以下程度の機能水を脱臭フィルタ４８に向かって噴霧する。これにより、脱臭フィルタ４８は、最大保水量の機能水を保持する。
【００８９】
続いて、使用頻度が「あまり使用しない時間帯」になると、制御部１８は、ファン４６の動作を停止する制御を実行する（タイミングｔ３）。  
続いて、使用頻度が「使用しない時間帯」になると、制御部１８は、脱臭フィルタ４８の洗浄動作の制御を実行する（タイミングｔ４）。つまり、本具体例では、図１０に関して前述した「不使用時間帯」は、「使用しない時間帯」に相当する。
【００９０】
より具体的には、制御部１８は、ファン４６の動作を停止させた状態で噴霧部５０から機能水を噴霧する制御を実行する（タイミングｔ４）。噴霧部５０は、例えば約５秒間以上、７秒間以下程度にわたって約２４ｍＬ以上、２６ｍＬ以下程度の機能水を脱臭フィルタ４８に向かって噴霧する。続いて、噴霧部５０は、機能水の噴霧を完了してから約１分間が経過すると、例えば約５秒間以上、７秒間以下程度にわたって約２４ｍＬ以上、２６ｍＬ以下程度の機能水を脱臭フィルタ４８に向かって再び噴霧する。噴霧部５０は、このような動作を繰り返し、所定時間の間に複数回にわたって機能水を脱臭フィルタ４８に噴霧する（タイミングｔ４〜ｔ５）。本具体例では、噴霧部５０は、脱臭フィルタ４８の洗浄動作において、６回にわたって機能水を脱臭フィルタ４８に噴霧し、合計で例えば約１５０ｍＬ程度の機能水を脱臭フィルタ４８に供給する。
【００９１】
続いて、制御部１８は、使用頻度が「使用する時間帯」に切り替わる４５分前に、ファン４６の動作を開始し、噴霧部５０から機能水を噴霧する制御を実行する（タイミングｔ６）。脱臭フィルタ４８が乾燥すると、制御部１８は、噴霧部５０から機能水を噴霧する制御を実行する（タイミングｔ７）。タイミングｔ６およびタイミングｔ７において、噴霧部５０は、例えば約３秒間以上、５秒間以下程度にわたって約１２ｍＬ以上、１５ｍＬ以下程度の機能水を脱臭フィルタ４８に向かって噴霧する。これにより、脱臭フィルタ４８は、最大保水量の機能水を保持する。
【００９２】
これによれば、使用者がトイレルーム１００に入室する可能性がより高い時間帯の前に、トイレルーム１００内に常在する臭気を取り除くことができる。したがって、使用者が、トイレルーム１００内に常在する臭気を吸うことで、不快感を感じることを抑制することができる。
【００９３】
本具体例によれば、トイレルーム１００の空間内を脱臭する脱臭フィルタ４８を不使用時間帯に洗浄することができる。これにより、脱臭フィルタ４８をより効率的に洗浄することができ、脱臭フィルタ４８を長期間にわたってメンテナンスフリーとすることができる。また、脱臭フィルタ４８の洗浄動作を不使用時間帯に行うことにより、脱臭フィルタ４８の洗浄を使用者に知られるおそれを抑えることができる。
【００９４】
また、１日のうちに少なくとも１回の頻度で脱臭フィルタ４８の洗浄動作が実行されるため、脱臭フィルタ４８の脱臭性能を確保することができる。  
また、脱臭フィルタ４８の洗浄動作中においてファン４６の動作が停止しているため、噴霧部５０は、任意の位置に機能水を噴霧することができる。例えば、噴霧部５０から噴霧された機能水が脱臭装置１６の外部や衛生洗浄装置１の外部に出ることを抑えることができる。
【００９５】
また、制御部１８は、噴霧部５０から機能水を複数回にわたって噴霧する制御を実行するときに、機能水の噴霧ごとに電解槽２８の電極間に印加する電圧の極性を反転させてもよい（タイミングｔ４〜ｔ５）。例えば、制御部１８は、第１の電極２８ａを陽極に設定し、第２の電極２８ｂを陰極に設定して機能水を生成し噴霧させた後に、次回の機能水の生成および噴霧においては、第１の電極２８ａを陰極に設定し、第２の電極２８ｂを陽極に設定する。脱臭フィルタ４８の洗浄動作において極性反転（ポールチェンジ）を行うことにより、炭酸カルシウム（ＣａＣＯ３）などのスケールの生成を抑えることができる。これにより、電解槽２８の電解効率が低下し殺菌水の生成効率が低下することを抑えることができる。また、噴霧部５０が機能水を複数回にわたって噴霧することにより、流路開閉弁２４が開いている時間を抑え、回路基板等に発生する熱を抑えることができる。
【００９６】
なお、本具体例において、使用頻度の「使用しない時間帯」が存在しない場合には、脱臭フィルタ４８の洗浄動作は、１日を４５分間ごとに分割した３２個のユニットのうちの第１番目のユニットになったときに実行されてもよい。あるいは、本具体例において、使用頻度の「使用しない時間帯」が存在しない場合には、脱臭フィルタ４８の洗浄動作は、使用頻度が１日のうちで最初の「あまり使用しない時間帯」になったときに実行されてもよい。つまり、図１２に表した具体例において、使用頻度の「使用しない時間帯」が存在しない場合には、脱臭フィルタ４８の洗浄動作は、タイミングｔ３で実行開始されてもよい。
【００９７】
また、脱臭フィルタ４８の洗浄動作の制御は、使用者の指令により実行されてもよい。より具体的には、使用者は、操作部７４（図１参照）を操作することにより、脱臭フィルタ４８の洗浄動作の制御を実行してもよい。これによれば、使用者は、任意のタイミングで脱臭フィルタ４８の洗浄動作を実行することができる。
【００９８】
図１３は、本実施形態にかかる衛生洗浄装置の動作の他の具体例を例示するタイミングチャート図である。  
本具体例は、衛生洗浄装置１の設置後、脱臭フィルタ４８の洗浄動作が初めて実行される例である。
【００９９】
制御部１８は、衛生洗浄装置１の設置後１日目には、脱臭フィルタ４８の洗浄動作の制御を実行しない。制御部１８は、衛生洗浄装置１の設置後２日目に、脱臭フィルタ４８の洗浄動作の制御を初めて実行する。そのため、本具体例は、衛生洗浄装置１の設置後２日目の例である。衛生洗浄装置１の設置後２日目では、制御部１８は、図１１に関して前述した使用頻度を設定するデータ（使用回数）を蓄積中であるため、図１２に関して前述した具体例の制御をそのまま実行することはできない。
【０１００】
そこで、本具体例では、衛生洗浄装置１の設置後２日目において、１日を４５分間ごとに分割した３２個のユニットのうちの第１番目のユニットになると、制御部１８は、脱臭フィルタ４８の洗浄動作の制御を実行する（タイミングｔ１１）。つまり、本具体例では、図１０に関して前述した「不使用時間帯」は、１日を４５分間ごとに分割した３２個のユニットのうちの第１番目のユニットの時間帯に相当する。ファン４６が動作している場合には、制御部１８は、ファン４６の動作を停止させ、脱臭フィルタ４８の洗浄動作の制御を実行する。
【０１０１】
機能水の噴霧時間、機能水の噴霧量および機能水の噴霧回数は、図１２に表した具体例のタイミングｔ４〜ｔ５に関して前述した通りである（タイミングｔ１１〜ｔ１２）。
【０１０２】
続いて、脱臭フィルタ４８の洗浄動作が完了すると、制御部１８は、ファン４６の動作を開始する制御を実行する（タイミングｔ１２）。脱臭フィルタ４８が機能水を保持した状態でファン４６が動作しているため、吸気口部２１から吸い込まれた空気に含まれる悪臭成分は、脱臭装置１６によって捕集又は分解される。つまり、脱臭装置１６による脱臭動作が、実行されている。脱臭装置１６による脱臭動作は、脱臭フィルタ４８が乾燥するまで行われる（タイミングｔ１３）。
【０１０３】
続いて、制御部１８は、脱臭フィルタ４８が乾燥した後にファン４６の動作を停止する制御を実行する（タイミングｔ１４）。
【０１０４】
図１４は、本実施形態にかかる衛生洗浄装置の動作のさらに他の具体例を例示するタイミングチャート図である。  
本具体例は、衛生洗浄装置１の設置後５日目の例である。制御部１８は、図１１に関して前述した使用頻度を設定するデータ（使用回数）を蓄積中である。そこで、本具体例の制御部１８は、衛生洗浄装置１の設置後１日目から４日目までに蓄積したデータ（使用回数）に基づいて使用頻度を設定する。
【０１０５】
１日を４５分間ごとに分割した３２個のユニットのうちの第１番目のユニットになると、制御部１８は、ファン４６の動作を開始する制御を実行する（タイミングｔ２１）。続いて、制御部１８は、使用頻度が「使用する時間帯」に切り替わる６７．５分前に、噴霧部５０から機能水を噴霧する制御を実行する（タイミングｔ２２）。脱臭フィルタ４８が乾燥すると、制御部１８は、噴霧部５０から機能水を噴霧する制御を実行する（タイミングｔ２３）。タイミングｔ２２およびタイミングｔ２３において、噴霧部５０は、例えば約３秒間以上、５秒間以下程度にわたって約１２ｍＬ以上、１５ｍＬ以下程度の機能水を脱臭フィルタ４８に向かって噴霧する。これにより、脱臭フィルタ４８は、最大保水量の機能水を保持する。
【０１０６】
これによれば、使用者がトイレルーム１００に入室する可能性がより高い時間帯の前に、トイレルーム１００内に常在する臭気を取り除くことができる。したがって、使用者が、トイレルーム１００内に常在する臭気を吸うことで、不快感を感じることを抑制することができる。
【０１０７】
続いて、使用頻度が「使用しない時間帯」になると、制御部１８は、脱臭フィルタ４８の洗浄動作の制御を実行する（タイミングｔ２４〜ｔ２５）。つまり、本具体例では、図１０に関して前述した「不使用時間帯」は、「使用しない時間帯」に相当する。タイミングｔ２４〜ｔ２５の動作は、図１２に表した具体例のタイミングｔ４〜ｔ５に関して前述した動作と同様である。  
続いて、制御部１８は、脱臭フィルタ４８が乾燥した後にファン４６の動作を停止する制御を実行する（タイミングｔ２６）。
【０１０８】
本具体例によれば、制御部１８が使用頻度を設定するデータを蓄積中であっても、前日までに蓄積したデータに基づいて使用頻度を設定する。そのため、制御部１８は、使用頻度を設定するデータを蓄積中であっても、前日までに蓄積したデータに基づく使用頻度により、脱臭フィルタ４８の洗浄動作の制御を実行することができる。
【０１０９】
図１５は、本実施形態にかかる衛生洗浄装置の動作のさらに他の具体例を例示するフローチャート図である。  
本具体例では、制御部１８は、ファン４６の動作の累積時間が所定時間を経過したか否かを判断する（ステップＳ１１）。ファン４６の動作の累積時間が所定時間を経過した場合には（ステップＳ１１：Ｙｅｓ）、制御部１８は、脱臭フィルタ４８の洗浄動作の制御を実行する（ステップＳ１３）。一方で、ファン４６の動作の累積時間が所定時間を経過していない場合には（ステップＳ１１：Ｎｏ）、制御部１８は、脱臭フィルタ４８の洗浄動作の制御を実行することなくファン４６の動作を継続させる（ステップＳ１５）。脱臭フィルタ４８の洗浄動作は、図１２に表した具体例のタイミングｔ４〜ｔ５に関して前述した動作と同様である。
【０１１０】
制御部１８は、ファン４６の動作の累積回数が所定回数を経過したか否かを判断してもよい（ステップＳ１１）。この場合には、ファン４６の動作の累積回数が所定回数に達した場合には（ステップＳ１１：Ｙｅｓ）、制御部１８は、脱臭フィルタ４８の洗浄動作の制御を実行する（ステップＳ１３）。一方で、ファン４６の動作の累積回数が所定回数に達していない場合には（ステップＳ１１：Ｎｏ）、制御部１８は、脱臭フィルタ４８の洗浄動作の制御を実行することなくファン４６の動作を継続させる（ステップＳ１５）。脱臭フィルタ４８の洗浄動作は、図１２に表した具体例のタイミングｔ４〜ｔ５に関して前述した動作と同様である。
【０１１１】
本具体例によれば、脱臭フィルタ４８を通る空気の風量に応じて脱臭フィルタ４８の洗浄動作を行うことができる。そのため、脱臭フィルタ４８の脱臭性能を確保することができる。
【０１１２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、脱臭装置１６などが備える各要素の形状、寸法、材質、配置などや集塵フィルタ４４および脱臭フィルタ４８の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１３】
１ 衛生洗浄装置、  ２ 大便器、  ４ 便蓋、  ６ 機能部、  ８ ケースプレート、  １０ ケースカバー、  １２ 洗浄水供給装置、  １３ 人体検知センサ、  １４ 洗浄ノズル、  １５ 吐水部、  １５ａ 洗浄吐水孔、  １５ｂ ソフト吐水孔、  １５ｃ ビデ洗浄吐水孔、  １５ｄ ワイドビデ洗浄吐水孔、  １６ 脱臭装置、  １８ 制御部、  ２０ ボウル部、  ２１ 吸気口部、  ２２ 排気口部、  ２４ 流路開閉弁、  ２６ 熱交換器、  ２８ 電解槽、  ２８ａ 第１の電極、  ２８ｂ 第２の電極、  ３０ バキュームブレーカー、  ３２ 第１流路、  ３４ 第２流路、  ３６ 電磁ポンプ、  ３８ 流調・流路切替弁、  ４０ ノズル洗浄室、  ４１ 吐水部、  ４２ 吸気口、  ４４ 集塵フィルタ、  ４６ ファン、  ４８ 脱臭フィルタ、  ４８ａ、４８ｂ、４８ｃ 孔、  ５０ 噴霧部、  ５２ 水受け部、  ５４ 排気口、  ５６ 排水口、  ５８ リブ、  ６０ 排出流路、  ６２ ボウル部排出用孔、  ６８ 第１羽板、  ７２ フィルタケース、  ７４ 操作部、  １００ トイレルーム
【図１】
2016094711.tif 000003
【図２】
2016094711.tif 000004
【図３】
2016094711.tif 000005
【図４】
2016094711.tif 000006
【図５】
2016094711.tif 000007
【図７】
2016094711.tif 000008
【図８】
2016094711.tif 000009
【図９】
2016094711.tif 000010
【図１０】
2016094711.tif 000011
【図１１】
2016094711.tif 000012
【図１２】
2016094711.tif 000013
【図１３】
2016094711.tif 000014
【図１４】
2016094711.tif 000015
【図１５】
2016094711.tif 000016
【図６】
2016094711.tif 000017